【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
機器類、装身具の視認側の一部分に設けられる装飾部材であって、
前記装飾部材が、少なくとも１個の反射型偏光板を有し、
前記反射型偏光板の少なくとも一方の表面に、凹凸状の模様を有し、
前記反射型偏光板の視認側の表面に、被覆層を形成したことを特徴とする装飾部材。
【請求項２】
前記被覆層が、金属被覆層、金属酸化物被覆層、金属窒化物被覆層、樹脂被覆層、ガラス被覆層から選択した１種以上の被覆層から形成されていることを特徴とする請求項１に記載の装飾部材。
【請求項３】
前記金属酸化物被覆層が、酸化ジルコニウム、酸化ニオブ、酸化チタン、酸化鉄、酸化スズ、酸化シリコン、酸化アルミニウムから選択した少なくとも１種の金属酸化物から形成されていることを特徴とする請求項２に記載の装飾部材。
【請求項４】
前記金属窒化物被覆層が、窒化シリコン、窒化チタン、窒化ジルコニウムから選択した少なくとも１種の金属窒化物から形成されていることを特徴とする請求項２に記載の装飾部材。
【請求項５】
前記樹脂被覆層が、ポリカーボネート樹脂、アクリル樹脂、ポリアセタール樹脂、ＡＢＳ樹脂、ポリエチレン樹脂、ポリプロピレン樹脂、ポリスチレン樹脂、ポリエチレンテレフタレート樹脂、アルキッド樹脂、塩化ビニール樹脂、ポリウレタン樹脂、ポリエステル樹脂、フッ素系樹脂からから選択した少なくとも１種の樹脂から形成されていることを特徴とする請求項２に記載の装飾部材。
【請求項６】
前記反射型偏光板の少なくとも一方の表面に、光透過性着色層を有することを特徴とする請求項１から５のいずれかに記載の装飾部材。
【請求項７】
前記装飾部材が、基板の少なくとも一方の表面に貼着されていることを特徴とする請求項１から６のいずれかに記載の装飾部材。
【手続補正２】
【補正対象書類名】明細書
【補正対象項目名】０１２７
【補正方法】変更
【補正の内容】
【０１２７】
反射型偏光板１４に入射した光Ｐ１は、被覆層１７、凹凸状の模様１６を設けた反射型偏光板１４に入射する。
【手続補正３】
【補正対象書類名】明細書
【補正対象項目名】０１５０
【補正方法】変更
【補正の内容】
【０１５０】
このように構成することによって、基板１２の少なくとも一方の表面に形成された凹凸状の模様１１と、反射型偏光板の凹凸状の模様１６が重なって、奥行きのある模様が形成された極めて斬新な模様を提供でき、高級感のある外観品質を有する装飾部材を提供することができ、機器類、装身具、装飾部材のデサインバリエーションの拡大を図ることができる。
【手続補正４】
【補正対象書類名】明細書
【補正対象項目名】０１５２
【補正方法】変更
【補正の内容】
【０１５２】
このように構成することによって基板１２の表裏両面の凹凸状の模様１１ａ、１３ａが互いに異なるので、これらの異なる模様が重なって、観者に対して、奥行きがあって、しかも、斬新な模様を提供でき、高級感のある外観品質を有する装飾部材を提供することができ、機器類、装身具、装飾部材のデサインバリエーションの拡大を図ることができる。
なお、この場合、図示しないが、この表裏両面の凹凸状の模様１１ａ、１３ａは互いに同じ模様とすることもできる。
【手続補正５】
【補正対象書類名】明細書
【補正対象項目名】０１５９
【補正方法】変更
【補正の内容】
【０１５９】
このように構成することによって、基板１２の少なくとも一方の表面に、複数の模様１１ａ、１１ｂを有するので、複数の模様によって、斬新な模様を提供でき、高級感のある外観品質を有する装飾部材を提供することができ、機器類、装身具、装飾部材のデサインバリエーションの拡大を図ることができる。
なお、この場合、複数の模様１１ａ、１１ｂを全面に設けたが、図示しないが、複数の模様１１ａ、１１ｂを部分的に設けることももちろん可能である。
【手続補正６】
【補正対象書類名】明細書
【補正対象項目名】０１６２
【補正方法】変更
【補正の内容】
【０１６２】
図１４に示したように、この実施例の装飾部材１０は、反射型偏光板１４の基板１２と対向する側、すなわち、図１４において下側の表面に、梨地状の凹凸状の模様２２を、金型からの転写し形成した点が実施例１と異なっており、その他は実施例１と同様である。
【手続補正７】
【補正対象書類名】明細書
【補正対象項目名】０１７４
【補正方法】変更
【補正の内容】
【０１７４】
この実施例の装飾部材１０は、反射型偏光板１４の基板１２と対向する側の表面に、凹凸状の模様２２を梨地状に形成しているが、前述の実施例１に記載したように、凹凸のある他のパターン模様を形成しても良い。また、凹凸状の模様２２は金型から転写し形成したが、この他、選択する模様によって切削加工、プレス加工、サンドブラスト加工等、様々な加工方法を用いることができる。
【手続補正８】
【補正対象書類名】明細書
【補正対象項目名】０１７５
【補正方法】変更
【補正の内容】
【０１７５】
以上のように、この実施例の装飾部材１０によれば、金属装飾部材と同様の白色感が得られる。また、この実施例においても、実施例１と同様の効果を得ることができる。さらに、凹凸状の模様２２を反射型偏光板１４の基板１２と対向する側の表面に設けることにより、透明感のある模様が視認されることにより高級感のある装飾部材を得ることができる。
（実施例３）
【手続補正９】
【補正対象書類名】明細書
【補正対象項目名】０１７７
【補正方法】変更
【補正の内容】
【０１７７】
図１５に示したように、この実施例の装飾部材１０は、反射型偏光板１４の視認側の表面に、格子状の凹凸状の模様２４を形成し、基板１２と対向する側、すなわち、図１５の下側の表面に、サークル状または渦巻き状の凹凸状の模様２６を形成した実施例であり、何れも金型から転写して形成したものであり、両面同時に加工することができる。
【手続補正１０】
【補正対象書類名】明細書
【補正対象項目名】０１８２
【補正方法】変更
【補正の内容】
【０１８２】
この実施例の装飾部材１０は、反射型偏光板１４の両面のそれぞれに、格子状の凹凸模様２４と、サークル模様状または渦巻き模様状の凹凸模様２６を形成した例で説明したが、両面に形成する模様が互いに異なる模様であれば、他の凹凸模様を形成しても良い。
【手続補正１１】
【補正対象書類名】明細書
【補正対象項目名】０１８８
【補正方法】変更
【補正の内容】
【０１８８】
このように構成することによって、反射型偏光板１４が、表裏両面の一部に凹凸状の模様２４ａ、２６ａを有し、表裏両面の凹凸状の模様２４ａ、２６ａは互いに異なるので、観者に対して、部分的に奥行きがあって、しかも、斬新な模様を提供でき、高級感のある外観品質を有する装飾部材を提供することができ、機器類、装身具、装飾部材のデサインバリエーションの拡大を図ることができる。
【手続補正１２】
【補正対象書類名】明細書
【補正対象項目名】０１９０
【補正方法】変更
【補正の内容】
【０１９０】
このように構成することによって、反射型偏光板１４の少なくとも一方の表面の一部に、凹凸状の模様２４ａを有するので、部分的に模様が形成された斬新な模様を提供でき、高級感のある外観品質を有する装飾部材を提供することができ、機器類、装身具、装飾部材のデサインバリエーションの拡大を図ることができる。
【手続補正１３】
【補正対象書類名】明細書
【補正対象項目名】０１９１
【補正方法】変更
【補正の内容】
【０１９１】
さらには、図２０に示したように、反射型偏光板１４の少なくとも一方の表面に、複数の模様２４ａ、２４ｂを有するようにすることもできる。なお、この実施例では、反射型偏光板１４の視認側の表面の模様２４ａ、２４ｂに適用したが、反射型偏光板１４の視認側と反対側の表面の模様２６に適用することもできる。
【手続補正１４】
【補正対象書類名】明細書
【補正対象項目名】０１９２
【補正方法】変更
【補正の内容】
【０１９２】
このように構成することによって、反射型偏光板１４の少なくとも一方の表面に、複数の模様２４ａ、２４ｂを有するので、複数の模様によって、斬新な模様を提供でき、高級感のある外観品質を有する装飾部材を提供することができ、機器類、装身具、装飾部材のデサインバリエーションの拡大を図ることができる。
なお、この場合、複数の模様２４ａ、２４ｂを全面に設けたが、図示しないが、複数の模様２４ａ、２４ｂを部分的に設けることももちろん可能である。
（実施例４）
【手続補正１５】
【補正対象書類名】明細書
【補正対象項目名】０１９６
【補正方法】変更
【補正の内容】
【０１９６】
その他は、実施例３と同様である。この実施例の装飾部材１０は、格子状の凹凸模様２８、３０の深さが強調され、立体感のある凹凸模様が視認され、より高級感のある装飾部材を得ることができる。
（実施例５）
【手続補正１６】
【補正対象書類名】明細書
【補正対象項目名】０２３４
【補正方法】変更
【補正の内容】
【０２３４】
このように構成することによって、反射型偏光板１４が、表裏両面の一部に光透過性着色層３４ｂ、３５ａを有し、表裏両面の光透過性着色層３４ｂ、３５ａは互いに異なるので、観者に対して、部分的に奥行きのある着色部分があって、しかも、斬新な模様を提供でき、高級感のある外観品質を有する装飾部材を提供することができ、機器類、装身具、装飾部材のデサインバリエーションの拡大を図ることができる。
【手続補正１７】
【補正対象書類名】明細書
【補正対象項目名】０２３６
【補正方法】変更
【補正の内容】
【０２３６】
このように構成することによって、反射型偏光板１４の少なくとも一方の表面の一部に、光透過性着色層３４ａを有するので、部分的に着色された模様が形成された斬新な模様を提供でき、高級感のある外観品質を有する装飾部材を提供することができ、機器類、装身具、装飾部材のデサインバリエーションの拡大を図ることができる。
【手続補正１８】
【補正対象書類名】明細書
【補正対象項目名】０２３８
【補正方法】変更
【補正の内容】
【０２３８】
このように構成することによって、反射型偏光板１４の少なくとも一方の表面に、複数の光透過性着色層３４ａ、３４ｂを有するので、複数の光透過性着色層３４ａ、３４ｂによって、複数の色の異なった斬新な模様を提供でき、あたかも金属素材表面に２種類のメッキ処理（例えば、金メッキと銀メッキの組み合わせ、銅メッキとロジウムメッキの組み合わせなど）を施したごとくの質感を出すことができ、高級感のある外観品質を有する装飾部材を提供することができ、機器類、装身具、装飾部材のデサインバリエーションの拡大を図ることができる。
なお、この場合、複数の光透過性着色層３４ａ、３４ｂを全面に設けたが、図示しないが、複数の光透過性着色層３４ａ、３４ｂを部分的に設けることももちろん可能である。
また、図２４〜図２８の実施例では、光透過性着色層３４ａ、３５ａは、模様を有するように形成したが、光透過性着色層３４と同様に、一部に模様を有するようにすることも、複数の模様を有するようにすることも可能であり、さらには、模様を有しないようにすることも可能である。
（実施例６）
【手続補正１９】
【補正対象書類名】明細書
【補正対象項目名】０２３９
【補正方法】変更
【補正の内容】
【０２３９】
図３０は、本発明の別の実施例の装飾部材１０の断面図であり、反射型偏光板１４の視認側の表面に凹凸状の模様４６を形成し、基板１２と対向する側、すなわち、図３０において下側の表面に光反射層４４を設けた実施例である。
【手続補正２０】
【補正対象書類名】明細書
【補正対象項目名】０２６５
【補正方法】変更
【補正の内容】
【０２６５】
このように構成することによって、光反射層４４の光透過性着色層４８によって形成された模様と、反射型偏光板１４の凹凸状の模様４６が重なって、着色された奥行きのある模様が形成された極めて斬新な模様を提供でき、高級感のある外観品質を有する装飾部材を提供することができ、機器類、装身具、装飾部材のデサインバリエーションの拡大を図ることができる。
（実施例７）
【手続補正２１】
【補正対象書類名】明細書
【補正対象項目名】０２７７
【補正方法】変更
【補正の内容】
【０２７７】
また、第２の反射型偏光板５４も同様に、反射型偏光板１４から装飾部材１０の形状に打ち抜いて形成したものである。その後、第１の反射型偏光板５２の凹凸状の模様５６の形成されていない表面と、第２の反射型偏光板５４の表面とを重ね合わせ、互いの全面で透明性を有する粘着材または接着剤等の固定部材５８で固定し、一体としたものである。
【手続補正２２】
【補正対象書類名】図面
【補正対象項目名】図１３
【補正方法】変更
【補正の内容】
【図１３】
2009213788.tif 000001